(57)【要約】【課題】  ハンマーの回動の阻止位置の調整を容易に行えるとともに、ストップレールの長さの短縮によって、ハンマーの回動を所定のタイミングで安定的に阻止することができるグランド型ピアノの消音装置を提供する。【解決手段】  ハンマー６の後方において左右方向に延びる回動自在の駆動ロッド１７と、駆動ロッド１７に設けられた押圧部１８と、アクション７に回動自在に設けられ、ハンマー６を越えて延びる支持部材２０と、支持部材２０に支持され、ハンマーシャンク６ａの後端部付近に対向するように延びるストップレール１９と、駆動ロッド１７を駆動することにより、押圧部１８を介して、ストップレール１９をハンマーシャンク６ａの回動範囲内に回動させる駆動機構２１と、ストップレール１９を、ハンマーシャンク６ａの回動範囲外に付勢するばね３４と、を備えていることを特徴とする。【選択図】  図３
2006227542.tif 000002
【特許請求の範囲】
【請求項１】
ピアノ本体を有するとともに、鍵の回動に伴い、前後方向に延びるハンマーシャンクを有するハンマーをアクションによって回動させるグランド型ピアノにおいて、前記ハンマーによる弦の打弦を、通常演奏モード時に許容するとともに、消音演奏モード時に阻止するためのグランド型ピアノの消音装置であって、
前記ピアノ本体に設けられ、前記ハンマーの後方において左右方向に延びるとともに、軸線を中心として回動自在の駆動ロッドと、
当該駆動ロッドに、前記ハンマー側に向かって突出するように設けられた押圧部と、
前記アクションに回動自在に設けられ、前記ハンマーを越えて前記駆動ロッドに向かって後方に延びる支持部材と、
当該支持部材に支持され、前記弦と前記ハンマーの間に位置し、前記ハンマーシャンクの後端部付近に対向するように左右方向に延びるストップレールと、
前記駆動ロッドを駆動することにより、前記押圧部を介して前記支持部材を押圧することによって、前記ストップレールを前記ハンマーシャンクの回動範囲内の進入位置に回動させる駆動機構と、
前記ストップレールを、前記ハンマーシャンクの回動範囲外の退避位置側に付勢するばねと、
を備えていることを特徴とするグランド型ピアノの消音装置。
【請求項２】
前記ストップレールは、左右方向に並んだ複数のストップレールで構成され、
前記支持部材は、前記複数のストップレールをそれぞれ支持する複数の支持部材で構成されていることを特徴とする、請求項１に記載のグランド型ピアノの消音装置。
【請求項３】
前記ストップレールおよび前記支持部材は、固定用の孔をそれぞれ有し、
これらの孔の一方は、上下方向に延びる長孔で構成され、
これらの孔に通され、前記ストップレールを前記支持部材に固定する固定ねじをさらに備えていることを特徴とする、請求項１または２に記載のグランド型ピアノの消音装置。
【発明の詳細な説明】
【技術分野】
【０００１】
本発明は、例えば、消音ピアノあるいは自動演奏ピアノなどの複合型ピアノに適用され、ハンマーによる弦の打弦を、通常演奏モード時に許容するとともに、消音演奏モード時に阻止するためのグランド型ピアノの消音装置に関する。
【背景技術】
【０００２】
従来のこの種のグランド型ピアノの消音装置として、例えば特許文献１に開示されたものが知られている。この消音装置５０は、消音ピアノ５１に適用されたものである。図４に示すように、この消音ピアノ５１は、複数の鍵５２ａと、弦５３を打弦するハンマー５４と、鍵盤５２の後部上方に設けられ、鍵５２ａの回動に伴って作動し、ハンマー５４を回動させるアクション５５などを備えている。
【０００３】
消音装置５０は、弦５３とハンマー５４のハンマーシャンク５４ａとの間に設けられた駆動ロッド５６と、この駆動ロッド５６に固定されたストッパ５７などを備えている。駆動ロッド５６は、１本の丸棒で構成され、ハンマーシャンク５４ａの後部上方に、複数の鍵５２ａの並び方向（以下「左右方向」という）にそれらの全体にわたって延びており、その両端部においてピアノ本体（図示せず）に回動自在に支持されている。また、特許文献２に開示されるように、フレーム（図示せず）には通常、駆動ロッド５６の途中の位置に、フレームと支柱（図示せず）を連結するための顎部（図示せず）が配置されているので、駆動ロッド５６は、この顎部に形成した孔（図示せず）に通された状態で設けられている。駆動ロッド５６は、ワイヤやモータ（ともに図示せず）などを有する駆動機構（図示せず）に連結されている。
【０００４】
ストッパ５７は、消音演奏モード時に、ハンマー５４による弦５３の打弦を阻止するためのものであり、駆動ロッド５６に固定された本体部５７ａと、本体部５７ａに取り付けられたクッション材５７ｂで構成されている。本体部５７ａは、駆動ロッド５６に沿い、そのほぼ全体にわたって連続的に延びる断面矩形状のものであり、駆動ロッド５６と反対側の面にクッション材５７ｂが取り付けられている。以上の構成により、ストッパ５７は、駆動機構によって駆動ロッド５６が駆動されることにより、ハンマー５４のハンマーシャンク５４ａの回動範囲から退避した退避位置（図４の実線位置）と、ハンマーシャンク５４ａの回動範囲内に進入した進入位置（図４の点線位置）との間で回動する。
【０００５】
通常演奏モード時には、ストッパ５７が退避位置に駆動されるとともに、この状態で、鍵５２ａが押鍵されると、鍵５２ａの回動に伴ってアクション５５が作動し、そのジャック５８がハンマー５４を突き上げ、上方に回動させることによって、ハンマーヘッド５４ｂが弦５３を打弦する。一方、消音演奏モード時には、ストッパ５７が時計方向に回動し、進入位置まで駆動される。そして、鍵５２ａが押鍵されると、ハンマー５４の回動の途中、ハンマーヘッド５４ｂが弦５３を打弦する直前で、ハンマーシャンク５４ａの後端部が進入位置に位置するストッパ５７に当接することによって、ハンマー５４のそれ以上の回動が阻止され、弦５３の打弦が阻止される。
【０００６】
グランド型ピアノでは一般に、鍵盤５２およびアクション５５を載置した筬（図示せず）全体が棚板（図示せず）に対して移動自在に構成されており、ハンマー５４の打弦点の調整やアクション５５のメンテナンスを、筬全体をピアノ本体から前方に引き出した状態で行う。これに対し、従来の消音装置５０では、駆動ロッド５６およびストッパ５７が、ピアノ本体に支持されるとともに、ハンマーシャンク５４ａの後部上方に配置されているので、駆動ロッド５６およびストッパ５７を、筬の引き出しの際にハンマー５４のハンマーヘッド５４ｂに接触しないよう、ハンマーヘッド５４ｂよりも上方に配置しなければならない。このため、ストッパ５７が進入位置において、ハンマーシャンク５４ａの回動を阻止するためには、ストッパ５７を長くせざるを得ない。ストッパ５７が長くなると、進入位置における下端位置がずれやすいとともに、ハンマーシャンク５４ａが当接したときのストッパ５７の圧縮量や撓みが大きくなるため、ハンマー５４の回動を所定のタイミングで安定的に阻止することが困難になる。
【０００７】
また、駆動ロッド５６およびストッパ５７が、ピアノ本体に支持されているので、ストッパ５７とハンマーシャンク５４ａとの位置関係の調整を、筬を引き出した状態で行うことができないため、その調整に非常に手間がかかる。
【０００８】
さらに、駆動ロッド５６がフレームの顎部に貫通した状態で配置されているので、顎部への孔の加工や、この孔に駆動ロッド５６を通すという煩雑な組立作業などが必要になり、それにより、製造コストが増大してしまう。
【０００９】
本発明は、このような課題を解決するためになされたものであり、ハンマーの回動の阻止位置の調整を容易に行えるとともに、ストップレールの長さの短縮によって、ハンマーの回動を所定のタイミングで安定的に阻止することができるグランド型ピアノの消音装置を提供することを目的とする。
【００１０】
【特許文献１】特開２００１−３３１１７２号公報（図１）
【特許文献２】特開２００３−１７７７３７号公報（図１４）
【発明の開示】
【課題を解決するための手段】
【００１１】
この目的を達成するために、請求項１に係る発明は、ピアノ本体を有するとともに、鍵の回動に伴い、前後方向に延びるハンマーシャンクを有するハンマーをアクションによって回動させるグランド型ピアノにおいて、ハンマーによる弦の打弦を、通常演奏モード時に許容するとともに、消音演奏モード時に阻止するためのグランド型ピアノの消音装置であって、ピアノ本体に設けられ、ハンマーの後方において左右方向に延びるとともに、軸線を中心として回動自在の駆動ロッドと、駆動ロッドに、ハンマー側に向かって突出するように設けられた押圧部と、アクションに回動自在に設けられ、ハンマーを越えて駆動ロッドに向かって後方に延びる支持部材と、支持部材に支持され、弦とハンマーの間に位置し、ハンマーシャンクの後端部付近に対向するように左右方向に延びるストップレールと、駆動ロッドを駆動することにより、押圧部を介して支持部材を押圧することによって、ストップレールをハンマーシャンクの回動範囲内の進入位置に回動させる駆動機構と、ストップレールを、ハンマーシャンクの回動範囲外の退避位置側に付勢するばねと、を備えていることを特徴とする。
【００１２】
このグランド型ピアノの消音装置によれば、駆動ロッドは、ピアノ本体に設けられ、ハンマーよりも後方に左右方向に延びるように配置されている。一方、ストップレールは、これを支持する支持部材を介して、アクションに回動自在に取り付けられている。この支持部材は、ハンマーを越えて駆動ロッドに向かって後方に延びている。
【００１３】
この構成によれば、通常演奏モード時には、ばねの付勢力により、ストップレールがハンマーシャンクの回動範囲外の退避位置側に保持されることにより、鍵の回動に伴うハンマーによる弦の打弦が許容され、それにより通常演奏が行われる。一方、消音演奏モード時には、駆動機構により駆動ロッドを駆動することによって、押圧部を介して支持部材を押圧する。これにより、支持部材およびこれに支持されたストップレールが回動し、ストップレールはハンマーシャンクの回動範囲内の進入位置に保持される。そして、進入位置に進入したストップレールにハンマーシャンクの後端部が当接することによって、ハンマーシャンクの回動が阻止され、それにより、打弦が阻止される。
【００１４】
本発明によれば、駆動ロッドは、ハンマーの後方に配置されるとともに、ピアノ本体に設けられており、支持部材およびストップレールは、アクションに設けられている。このため、筬全体を引き出す際、駆動ロッドは、ピアノ本体に残されるとともに、支持部材およびストップレールは、アクションなどと一緒に引き出されるので、駆動ロッド、支持部材やストップレールが引き出しの邪魔にならなくなる。したがって、従来と比較して、ストップレールの長さを短縮することが可能になり、それにより、ハンマーの回動を、ストップレールによって所定のタイミングで安定的に阻止することができる。また、ストップレールがアクションと一緒に引き出されるので、ストップレールとハンマーシャンクとの位置関係の調整を、筬全体を引き出した状態で行うことが可能になり、それにより、この調整を容易に行うことができる。
【００１５】
請求項２に係る発明は、請求項１に記載のグランド型ピアノの消音装置において、ストップレールは、左右方向に並んだ複数のストップレールで構成され、支持部材は、複数のストップレールをそれぞれ支持する複数の支持部材で構成されていることを特徴とする。
【００１６】
この構成によれば、ストップレールは、左右方向に並んだ複数のストップレールで構成されているので、ストップレールをフレームの顎部を避けて配置することが可能になる。その結果、従来と異なり、顎部への孔の加工や、顎部に駆動ロッドを通すという煩雑な組立作業などを省略できるので、その分、製造コストを削減することができる。
【００１７】
請求項３に係る発明は、請求項１または２に記載のグランド型ピアノの消音装置において、ストップレールおよび支持部材は、固定用の孔をそれぞれ有し、これらの孔の一方は、上下方向に延びる長孔で構成され、これらの孔に通され、ストップレールを支持部材に固定する固定ねじをさらに備えていることを特徴とする。
【００１８】
この構成によれば、ストップレールおよび支持部材は、その一方に形成した上下方向に延びる長孔を介して、固定ねじによって固定されている。したがって、この長孔によってハンマーシャンクに対するストップレールの上下方向の位置（高さ）を、きめ細かく調整することができ、ハンマーの回動の阻止位置を、容易かつ最適に調整することができる。
【発明を実施するための最良の形態】
【００１９】
以下、図面を参照しながら、本発明の好ましい実施形態を詳細に説明する。図１は、本発明の実施形態による消音装置１を適用したグランド型の消音ピアノ２の鍵盤装置を、離鍵状態において示している。なお、以下の説明では、消音ピアノ２を演奏者から見た場合の手前側（同図の右側）を「前」、奥側（同図の左側）を「後」とし、さらに左側および右側をそれぞれ「左」および「右」として、説明を行うものとする。同図に示すように、この消音ピアノ２は、棚板３と、棚板３に移動自在に載置された筬４と、筬４に載置された複数の鍵５（１つのみ図示）と、鍵５ごとに設けられ、弦Ｓを打弦するハンマー６と、鍵５の後部上方に設けられたアクション７と、本発明に係る消音装置１などを備えている。この消音ピアノ２では、演奏モードが、ハンマー６による弦Ｓの打弦を許容することによってアコースティックな演奏音を発生させる通常演奏モードと、ハンマー６による打弦を阻止するとともに、鍵５の押鍵情報に応じて楽音発生装置（図示せず）によって電子的な演奏音を発生させる消音演奏モードに、切り替えられる。
【００２０】
鍵５は、その中央に形成されたバランスピン孔（図示せず）を介して、筬４に立設されたバランスピン８に回動自在に支持されている。
【００２１】
弦Ｓは、フレーム（図示せず）の前端部に打ち込まれた複数のチューニングピン（図示せず）と、これらのチューニングピンよりも後方に埋め込まれた複数のヒッチピン（図示せず）との間に張られ、前後方向に延びている。フレームは、支柱（図示せず）との協働によって弦Ｓの張力を支持するためのものであり、その前端部の中音域と低音域の境界付近に、下方に突出する顎部（図示せず）を有し、この顎部および連結部材（図示せず）を介して、支柱に連結されている。
【００２２】
アクション７は、鍵５の押鍵に伴ってハンマー６を回動させるためのものであり、筬４の左右端部とその中間の２〜３個所にそれぞれ設けられたブラケット１０（図１に１つのみ図示）に渡されたウイッペンレール１１およびハンマーシャンクレール１２に取り付けられている。ウイッペンレール１１には、各鍵５に対応する複数のウイッペン１３が左右方向に並ぶように取り付けられている。各ウイッペン１３は、前後方向に延び、その後端部において、ウイッペンフレンジ１３ａを介してウイッペンレール１１に回動自在に取り付けられるとともに、鍵５の後部にキャプスタンスクリュー１４を介して載置されている。ウイッペン１３には、レペティションレバー１５およびジャック１６などが取り付けられている。
【００２３】
レペティションレバー１５は、斜め前上がりに前後方向に延びており、その中央部においてウイッペン１３に回動自在に取り付けられている。レペティションレバー１５の前部の所定の位置には、上下方向に貫通するジャック案内孔１５ａが形成されている。
【００２４】
ジャック１６は、上下方向に延びる突き上げ部１６ａと、その下端部から前方にほぼ直角に延びる係合部１６ｂとから、Ｌ字状に形成されており、その角部においてウイッペン１３に回動自在に取り付けられている。ジャック１６の上端部は、レペティションレバー１５のジャック案内孔１５ａに、前後方向に移動自在に係合している。
【００２５】
一方、ハンマー６は、前後方向に延びるハンマーシャンク６ａと、ハンマーシャンク６ａの後端部に取り付けられたハンマーヘッド６ｂなどで構成されており、ハンマーシャンク６ａの前端部において、シャンクフレンジ６ｃを介してハンマーシャンクレール１２に回動自在に支持されている。ハンマーシャンク６ａの前端部の所定の位置には、円柱状のシャンクローラ６ｄが取り付けられている。図１に示す離鍵状態では、ハンマー６が、レペティションレバー１５のジャック案内孔１５ａ付近にシャンクローラ６ｄを介して載置されるとともに、ジャック１６の突き上げ部１６ａがシャンクローラ６ｄと微小な間隔を存して対向している。
【００２６】
図１〜図３に示すように、本発明に係る消音装置１は、駆動ロッド１７と、駆動ロッド１７に設けられた４つの押圧部１８と、ハンマー６の回動を阻止するためのストップレール１９と、ストップレール１９を支持する５つの支持部材２０と、駆動ロッド１７を駆動する駆動機構２１などを備えている。
【００２７】
駆動ロッド１７は、１本の丸棒で構成されており、高音域を除く部分に左右方向に延びている。また、駆動ロッド１７は、ハンマー６のハンマーヘッド６ｂよりも後方に配置され、打ち廻し２２（ピアノ本体）の高音域を除く部位の前面に、４つの支持金具２３および取付金具２４を介して回動自在に支持されている。このように、駆動ロッド１７を、打ち廻し２２の高音域以外の部位に取り付けるのは、打ち廻し２２の上面に載置される響板２５（図１参照）が、高音域では、他の音域よりも前方に突出しており、それに応じて、打ち廻し２２もまた、高音域において前方に突出しているためである。以上の構成により、駆動ロッド１７を、打ち廻し２２の高音域以外の奥まった部位を利用しながら、限られたスペース内にコンパクトに配置することができる。
【００２８】
図３に示すように、各支持金具２３は、側面形状が半円形状の本体部２３ａと、本体部２３ａの後端から上下に延びる２つの取付部２３ｂ，２３ｂで構成されており、各取付部２３ｂには孔２３ｃが形成されている。一方、各取付金具２４は、前側の第１取付部２４ａと、後側の第２取付部２４ｂと、第１および第２取付部２４ａ，２４ｂを互いに連結する連結部２４ｃで構成されている。第１取付部２４ａには、支持金具２３の孔２３ｃ，２３ｃに対応する２つの孔２４ｄ，２４ｄが形成されている。支持金具２３と取付金具２４は、駆動ロッド１７を支持金具２３の本体部２３ａに通した状態で、上記の孔２３ｃ，２４ｄに通したねじ（図示せず）によって互いに固定されている。取付金具２４の第２取付部２４ｂには、上下２つの孔２４ｅ，２４ｅが形成されており、これらの孔２４ｅ，２４ｅを介して打ち廻し２２にねじ（図示せず）をねじ込むことによって、取付金具２４が打ち廻し２２に固定されている。以上の構成により、駆動ロッド１７は、支持金具２３に回動自在に支持されている。
【００２９】
４つの押圧部１８は、左右方向に間隔を隔てた所定の位置に配置されており、具体的には、駆動ロッド１７の左右の端部、中音域の中間位置、およびフレームの顎部が位置する中音域と低音域との境界付近に、それぞれ設けられている。各押圧部１８は、駆動ロッド１７に固定され、ハンマー６側に向かって突出する本体部１８ａと、本体部１８ａの前端から左方または右方に屈曲する屈曲部１８ｂとから、Ｌ字状に形成されている。屈曲部１８ｂには、例えばゴムなどの弾性材料で構成されたクッション材１８ｃがかぶさるように取り付けられている。また、中低音域の境界付近の屈曲部１８ｂの長さは、他の屈曲部１８ｂよりも長い。
【００３０】
ストップレール１９は、例えば金属製の角材で構成されており、図１に示すように、弦Ｓとハンマー６の間に配置され、ハンマーシャンク６ａの後端部付近に対向するように設けられている。図３に示すように、このストップレール１９は、高中音域レール１９ａと、低音域レール１９ｂで構成されており、これらはフレームの顎部の右側および左側にそれぞれ設けられている。高中音域レール１９ａは、高音域および中音域の全域にわたって延びている。高中音域レール１９ａには、その右端部と、押圧部１８に対応する３つの位置に、孔１９ｃ（１つのみ図示）が形成されている。また、高中音域レール１９ａの下面には、その全体にわたって、例えばゴムまたは発泡ウレタンなどの弾性材料で構成されたクッション材２６が取り付けられている。
【００３１】
低音域レール１９ｂは、低音域の全体にわたって延びている。低音域レール１９ｂの左右端部には、高中音域レール１９ａと同様、孔１９ｃ，１９ｃが形成され、また、低音域レール１９ｂの下面には、高中音域レール１９ａと同様のクッション材２６が取り付けられている。
【００３２】
ストップレール１９を支持する５つの支持部材２０は、例えば曲げ加工された金属板で構成されており、後述する連結部材３０に回動自在に取り付けられている。図３に示すように、支持部材２０は、駆動ロッド１７の４つの押圧部１８に対応する位置と、高中音域レール１９ａの右端部に相当する位置に設けられており、中低音域の境界付近の境界用の支持部材２８と、それ以外の通常用の４つの支持部材２７で構成されている。
【００３３】
各支持部材２７は、前後方向に延びる本体部２７ａと、本体部２７ａの前端部に設けられた回動部２７ｂと、本体部２７ａから後方に突出するレール支持部２７ｃで構成されている。回動部２７ｂは、左右の端部から下方に延びる軸取付部２７ｄ，２７ｄを有しており、これらの軸取付部２７ｄ，２７ｄ間に軸２７ｆが固定されていて、支持部材２７は、この軸２７ｆを介して連結部材３０に回動自在に支持されている。
【００３４】
本体部２７ａの後端部には、取付部２７ｇが設けられており、この取付部２７ｇは、本体部２７ａの上半部から左方または右方に直角に屈曲している。また、取付部２７ｇには、上下方向に延びる長孔２７ｈが形成されている。支持部材２７のレール支持部２７ｃの後端部は、左方または右方に直角に屈曲しており、被押圧部２７ｉになっており、これらの被押圧部２７ｉに、駆動ロッド１７の対応する押圧部１８がそれぞれ上方から対向している。
【００３５】
一方、境界用の支持部材２８は、前後方向に延びる、互いに平行な２つの本体部２８ａ，２８ａと、本体部２８ａ，２８ａの前端部間に設けられた回動部２８ｂなどを備えている。本体部２８ａ，２８ａの互いの間隔は、フレームの顎部の幅よりも若干大きく、それにより、顎部が本体部２８ａ，２８ａ間に収容されるようになっている。本体部２７ａと同様、各本体部２８ａの後端には、その上半部から左右方向の外方に直角に屈曲する取付部２８ｇが設けられ、各取付部２８ｇには、上下方向に延びる長孔２８ｈが形成されている。また、各本体部２８ａには、本体部２８ａから後方に突出するレール支持部２８ｃが設けられており、その後端部は、左右方向の内方に屈曲した被押圧部２８ｉになっており、これらの被押圧部２８ｉに、駆動ロッド１７の対応する押圧部１８が上方から対向している。
【００３６】
回動部２８ｂは、互いに間隔を存する左右２つの軸取付部２８ｄ，２８ｄを有し、これらの軸取付部２８ｄ，２８ｄに軸２８ｆが固定されている。支持部材２８は、この軸２８ｆを介して連結部材３０に回動自在に支持されている。
【００３７】
前述した高中音域レール１９ａおよび低音域レール１９ｂは、支持部材２７，２８に次のようにして、取り付けられている。すなわち、高中音域レール１９ａは、右側の３つの通常用の支持部材２７と境界用の支持部材２８の右側の本体部２８ａによって支持されるようになっており、それらのレール支持部２７ｃ，２８ｃに載せた状態で、長孔２７ｈ，２８ｈおよび高中音域レール１９ａの孔１９ｃを介して固定ねじ２９を高中音域レール１９ａにねじ込むことによって、高中音域レール１９ａが支持部材２７，２８に固定されている。一方、低音域レール１９ｂは、境界用の支持部材２８の左側の本体部２８ａと左側の支持部材２７によって支持されるようになっており、それらのレール支持部２７ｃ，２８ｃに載せた状態で、長孔２７ｈ，２８ｈおよび低音域レール１９ｂの孔１９ｄにを介して固定ねじ２９を低音域レール１９ｂにねじ込むことによって、低音域レール１９ｂが、支持部材２７，２８に固定されている。
【００３８】
連結部材３０は、例えば曲げ加工された金属板で構成されており、図３に示すように、上側の水平なシャンクレール取付部３０ａと、下側の水平なウイッペンレール取付部３０ｂと、シャンクレール取付部３０ａとウイッペンレール取付部３０ｂをつなぐ鉛直部３０ｃで構成されている。シャンクレール取付部３０ａは、前後方向に延びる長方形状のものであり、中低音域の境界付近の連結部材３０のシャンクレール取付部３０ａは、他のシャンクレール取付部３０ａよりも大きな幅（左右方向の長さ）を有している。シャンクレール取付部３０ａの前端部には孔３０ｄが、ウイッペンレール取付部３０ｂの後端部には孔３０ｅが、それぞれ形成されており、シャンクレール取付部３０ａは、孔３０ｄを介してハンマーシャンクレール１２に、ウイッペンレール取付部３０ｂは、孔３０ｅを介してウイッペンレール１１に、それぞれねじ止めされ、固定されている。
【００３９】
また、シャンクレール取付部３０ａの上面には、金具３１が取り付けられている。金具３１は、側面形状が半円形状の本体部３１ａと、本体部３１ａの前端から前方に延びる取付部３１ｂで構成されている。この金具３１の本体部３１ａに支持部材２７，２８の軸２７ｆ，２８ｆを通した状態で、取付部３１ｂをシャンクレール取付部３０ａにねじ止めすることによって、支持部材２７，２８は、軸２７ｆ，２８ｆを介して、連結部材３０に回動自在に支持されている。
【００４０】
最低音側の支持部材２７には、プレート３３が取り付けられている。このプレート３３は、プレス加工された金属板で構成されており、図３に示すように、その後端部において、支持部材２７の軸２７ｆよりも後ろ側の位置に孔３３ａ，３３ａを介して、ねじ止めされている。プレート３３は、軸２７ｆよりも前方に延びてている。
【００４１】
ばね３４は、コイルバネで構成されており、その一端部がプレート３３の前端部に掛け止めされ、他端部が取付板３５に掛け止めされている。取付板３５は、アクション横木（図示せず）に固定されている。以上の構成により、ばね３４は、プレート３３を介して、支持部材２７，２８およびこれに支持された高中音域レール１９ａおよび低音域レール１９ｂを常に上方に付勢している。
【００４２】
駆動ロッド１７を駆動する駆動機構２１は、駆動レバー３７と、棚板３の下面に配置され、駆動レバー３７を操作するための操作レバー（図示せず）と、駆動レバー３７と操作レバーを接続するワイヤ３８と、駆動レバー３７を上方に付勢するばね３９などで構成されている。
【００４３】
駆動レバー３７は、例えば曲げ加工された金属板で構成されており、駆動ロッド１７の左端部に設けられている。図３に示すように、駆動レバー３７は、前後方向に延びる本体部３７ａと、本体部３７ａの後端部に設けられた固定部３７ｂなどで構成されている。固定部３７ｂは、互いに間隔を存する左右２つのロッド取付部３７ｄ，３７ｄと、これらのロッド取付部３７ｄ，３７ｄの上端間を連結する連結部３７ｅで構成されている。各ロッド取付部３７ｄにはロッド挿入孔３７ｆが、連結部３７ｅには孔３７ｇが、それぞれ形成されている。このような構成により、ロッド挿入孔３７ｆに駆動ロッド１７を挿入し、孔３７ｇを介して駆動ロッド１７にねじ（図示せず）をねじ込むことによって、駆動レバー３７が駆動ロッド１７に固定されている。
【００４４】
本体部３７ａの中央には、左方に突出する突起４０が設けられており、この突起４０は金具４１に挿入されている。金具４１は、左右２つの壁部と、これらを連結する連結部とから側面形状がコ字状に形成されており、左右の壁部に形成された孔４１ａ，４１ａに突起４０がはめ込まれている。また、金具４１の連結部には、ワイヤ３８の一端部が接続されている。
【００４５】
ばね３９は、コイルバネで構成され、その一端部が駆動レバー３７の前端部に掛け止めされ、他端部がプレート４２に掛け止めされており、駆動レバー３７を常に上方に付勢している。プレート４２は、ピアノ本体に固定されている。
【００４６】
以上の構成によれば、操作レバーが操作されていない状態では、駆動レバー３７は、ばね３９の付勢力により図３の反時計方向に回動しており、それに伴い、駆動レバー３７と一体の駆動ロッド１７も反時計方向に回動している。これに伴い、駆動ロッド１７の押圧部１８は、斜め上方に退避した状態に保持されており、支持部材２０とは非接触の状態になっている（図１参照）。また、プレート３３は、ばね３４の付勢力により図３の時計方向に回動しており、それに伴い、プレート３３に支持部材２７を介して連結された高中音域レール１９ａおよび低音域レール１９ｂは、時計方向に回動していて、それにより、図１に示すように、ハンマーシャンク６ａの回動範囲から退避した退避位置に保持されている。
【００４７】
この状態から操作レバーを操作すると、ワイヤ３８が引き下げられ、これに伴い、駆動レバー３７がばね３９の付勢力に抗して下方に回動し、これと一体の駆動ロッド１７が図１の時計方向に回動する。この回動の途中、駆動ロッド１７の押圧部１８が被押圧部２７ｉ，２８ｉを介して支持部材２７，２８を押圧することによって、支持部材２７，２８がばね３４の付勢力に抗して反時計方向に回動し、これと一体の高中音域レール１９ａおよび低音域レール１９ｂがハンマーシャンク６ａの回動範囲内に進入した進入位置に保持される（図２参照）。
【００４８】
次に、以上の構成の消音装置１の動作を説明する。通常演奏モードで演奏を行う場合には、駆動機構２１によって、ストップレール１９が退避位置に駆動される。この状態で、鍵５が押鍵されると、鍵５はバランスピン８を中心として図１の時計方向に回動するのに伴い、ウイッペン１３がキャプスタンスクリュー１４を介して突き上げられ、上方に回動する。このウイッペン１３の回動に伴い、レペティションレバー１５およびジャック１６がウイッペン１３と一緒に上方に移動し、ジャック１６の突き上げ部１６ａがシャンクローラ６ｄを介してハンマー６を突き上げることによって、ハンマー６が時計方向に回動する。そして、この回動の途中で、ジャック１６がシャンクローラ６ｄから抜け、その直後においてハンマーヘッド６ｂが弦Ｓを打弦する。
【００４９】
一方、消音演奏モードで演奏を行う場合には、駆動機構２１によって、ストップレール１９が進入位置に駆動される。鍵５が押鍵されると、通常演奏モード時と同様にしてハンマー６が時計方向に回動する。この回動の途中、ハンマーヘッド６ｂが弦Ｓを打弦する直前で、ハンマーシャンク６ａの後端部が、進入位置に位置するストップレール１９にクッション材２６を介して当接することによって、ハンマー６のそれ以上の回動が阻止され、それにより、打弦が阻止される。
【００５０】
以上のように、本実施形態によれば、駆動ロッド１７は、打ち廻し２２に設けられており、支持部材２０およびストップレール１９は、連結部材３０を介してアクション７のウイッペンレール１１およびハンマーシャンクレール１２に設けられている。このため、筬４全体を引き出す際、駆動ロッド１７は、ピアノ本体に残されるとともに、支持部材２０およびストップレール１９は、アクション７などと一緒に引き出されるので、駆動ロッド１７、ストップレール１９および支持部材２０が引き出しの邪魔にならなくなる。したがって、ピアノ本体にストップレール１９を取り付けていた従来の消音装置と比較して、ストップレール１９の長さを短縮することができ、それにより、ハンマー６の回動を、ストップレール１９によって所定のタイミングで安定的に阻止することができる。また、ストップレール１９とハンマーシャンク６ａとの位置関係の調整を、筬４全体を引き出した状態で行うことができ、それにより、その調整を容易に行うことができる。
【００５１】
また、高中音域レール１９ａはフレームの顎部よりも右側に、低音域レール１９ｂが顎部よりも左側に、それぞれ設けられ、顎部を避けて配置されているので、従来と異なり、顎部への孔の加工や、顎部に駆動ロッドを通すという煩雑な組立作業などを省略できるので、その分、製造コストを削減することができる。
【００５２】
さらに、ストップレール１９および支持部材２０は、支持部材２０に形成した上下方向に延びる長孔２７ｈ，２８ｈを介して、固定ねじ２９によって固定されている。したがって、これらの長孔２７ｈ，２８ｈによってハンマーシャンク６ａに対するストップレール１９の高さをきめ細かく調整することができ、ハンマー６の回動の阻止位置を、容易かつ最適に調整することができる。
【００５３】
なお、本発明は、説明した実施形態に限定されることなく、種々の態様で実施することができる。例えば、実施形態では、駆動ロッド１７を、打ち廻し２２に設けているが、これに限らず、ピアノ本体を構成する他の適当な部位、例えば側板や中框などに設けてもよい。また、実施形態では、長孔２７ｈ，２８ｈを、支持部材２０に形成しているが、これに限らず、ストップレール１９に形成してもよい。さらに、ストップレール１９を、角材で構成しているが、これに限らず、例えば金属板で構成してもよい。さらには、本実施形態は、本発明を消音ピアノに適用した例であるが、これに限らず、自動演奏ピアノなどの他のタイプのグランド型ピアノに適用することが可能である。その他、本発明の趣旨の範囲内で、細部を適宜、変更することが可能である。
【図面の簡単な説明】
【００５４】
【図１】本発明の実施形態による消音装置およびこれを適用したグランド型の消音ピアノの鍵盤装置を、通常演奏モードの離鍵状態において示す側断面図である。
【図２】図１の鍵盤装置を、消音演奏モードの押鍵状態において示す側断面図である。
【図３】図１の消音装置の分解斜視図である。
【図４】従来の消音装置を適用した消音ピアノの側断面図である。
【符号の説明】
【００５５】
１  消音装置
２  消音ピアノ
５  鍵
６  ハンマー
６ａ  ハンマーシャンク
７  アクション
１７  駆動ロッド
１８  押圧部
１９  ストップレール
１９ａ  高中音域レール
１９ｂ  低音域レール
１９ｃ  孔
１９ｄ  孔
２０  支持部材
２１  駆動機構
２２  打ち廻し（ピアノ本体）
２７  通常用の支持部材
２７ｈ  長孔
２８  境界用の支持部材
２８ｈ  長孔
２９  固定ねじ
３４  ばね
Ｓ  弦
【図１】
2006227542.tif 000003
【図２】
2006227542.tif 000004
【図３】
2006227542.tif 000005
【図４】
2006227542.tif 000006